(57)【要約】  【課題】  上下移動可能な複数の用紙排出トレイを備え、ノンソートトレイを備えない用紙後処理装置において、割り込み動作に係る用紙を排出する際に、すぐに割り込み動作を開始可能かつ割り込み動作で排出された用紙を取り出しやすい用紙排出機構を提供する。  【解決手段】  用紙排出口２４と用紙排出トレイ２５との間に破線で示す格納姿勢、実線で示す展開姿勢の両様の姿勢をとり得るサブトレイ３０を設ける。サブトレイ３０は通常の用紙排出動作中は格納姿勢を保持し、割り込み指令が発せられるとその時点で排出動作に係る用紙が排出されてから、制御装置により動作せしめられるソレノイド３３により展開姿勢に姿勢変更する。割り込み動作に係る用紙は排出方向先端部がそれまでに排出された用紙の上、後端部がサブトレイ３０の上に載るように排出され、それまでの通常動作で排出された用紙と区別がつきやすく、かつ取り分けやすい。【選択図】      図２
2006069677.tif 000002
【特許請求の範囲】
【請求項１】
画像が形成された用紙を排出する用紙排出口と、前記用紙排出口から排出された用紙を受ける用紙排出トレイと、用紙排出動作を制御する制御装置とを備える用紙排出機構において、
駆動装置によって格納姿勢から展開姿勢に姿勢変更すると前記用紙排出トレイの上部に干渉するサブトレイを設け、このサブトレイは通常の一連の用紙排出動作中は格納姿勢を保持するものであり、前記制御装置は前記一連の用紙排出動作中に割り込み指令を受けた場合、前記駆動装置を動作させ、割り込み指令に係る用紙を受けるようにサブトレイを展開姿勢に姿勢変更させるものであることを特徴とする用紙排出機構。
【請求項２】
前記サブトレイが垂直面内で回動するものであることを特徴とする請求項１に記載の用紙排出機構。
【請求項３】
前記サブトレイが用紙の排出方向と略平行にスライドするものであることを特徴とする請求項１に記載の用紙排出機構。
【請求項４】
前記展開姿勢のサブトレイ上面の用紙排出方向上流部に用紙ストッパを設けたことを特徴とする、請求項１〜３のいずれかに記載の用紙排出機構。
【請求項５】
前記サブトレイ近傍に用紙検知センサを設け、展開姿勢の前記サブトレイ上に積載された用紙が取り除かれたことを前記用紙検知センサが検知すると、前記サブトレイが格納姿勢をとり、前記通常の用紙排出動作が再開されることを特徴とする請求項１〜５のいずれかに記載の用紙排出機構。
【請求項６】
請求項１〜５のいずれかに記載の用紙排出機構を搭載する、画像形成装置の用紙後処理装置。
【請求項７】
請求項１〜５のいずれかに記載の用紙排出機構を搭載する画像形成装置。
【発明の詳細な説明】
【技術分野】
【０００１】
本発明は、割り込み動作が可能な用紙の排出機構ならびにこれを搭載した用紙後処理装置および画像形成装置に関する。
【背景技術】
【０００２】
多数の使用者が用いる画像形成装置においては、頻繁に用いる複数の特定の使用者の用紙を区別するため、これらの特定の使用者の用紙を振り分けて排出する複数の仕分けトレイからなるメールボックスを備えた用紙後処理装置を取り付けて用いられることがある。この用紙後処理装置においては、これらの特定の使用者の一連の作業に係る通常モードでの画像形成および用紙排出動作中に、それ以外の使用者の別の作業に係る原稿の画像を割り込ませて形成する場合、割り込み指令に係る用紙をそれ以外の用紙と区別して取り出せるようにするため、ノンソートトレイが用意されている。このノンソートトレイを用いることにより、メールボックスの特定の使用者の仕分けトレイに他人の用紙が混入することがなくなる。
【０００３】
メールボックスを備えた用紙後処理装置におけるノンソートトレイの例は、特許文献１において用紙収容トレイ、特許文献２において上トレー、特許文献３において固定トレイとして見ることができる。
【０００４】
簡素化のため、このノンソートトレイを設けない用紙後処理装置として、発明者は図７の概略構成図に示すものを考案した。図７において、用紙後処理装置２０は画像形成装置１０の左側面に接続されており、用紙搬入口２１、用紙搬送路２２、用紙排出ローラ対２３、用紙排出口２４、メールボックス２５、大容量トレイ２６および排出動作を制御する制御装置２７を備える。メールボックス２５は複数の仕分けトレイ２５ａ〜２５ｅが垂直方向に配置され、一体化されたものである。メールボックス２５および大容量トレイ２６は垂直方向に配置され、各々に取り付けられたモータ（不図示）によって移動ガイド２９上を上下に独立して移動可能に設けられている。
【０００５】
用紙Ｐは画像形成装置１０から、用紙搬入口２１を通じて搬入され、用紙搬送路２２を経由して用紙排出ローラ対２３によって用紙排出口２４から排出される。
【０００６】
仕分けトレイ２５ａ〜２５ｅはそれぞれ使用者毎に割り当てられたもので、特定の使用者の用紙Ｐは仕分けトレイ２５ａ〜２５ｅのうち、特定のトレイに排出されるように設定されている。また、大容量トレイ２６は大量に用紙Ｐを排出する際または前記特定の使用者以外の使用者の用紙Ｐを排出する際に用いられるものである。大容量トレイ２６は、メールボックス２５とは独立して上下に移動することができるため、排出される用紙Ｐが増えるに従って下方に移動し、大量に排出される用紙Ｐを受けることができる。
【０００７】
使用者の画像形成装置１０の操作により用紙が排出されるトレイが指定されると、指定された仕分けトレイ２５ａ〜２５ｅのいずれかまたは大容量トレイ２６は制御装置２７がモータを動作させることによって用紙排出口２４の直下の所定の位置に移動せしめられ、用紙排出口２４から排出される用紙Ｐを受ける。
【０００８】
通常モードでの画像形成および用紙排出動作中であって、仕分けトレイ２５ａ〜２５ｅのいずれかまたは大容量トレイ２６に用紙を排出している際に割り込みモードを開始すると、その時点で画像を形成中の用紙の画像の形成を完了してこの用紙を当該トレイの上に排出し、続きの画像形成動作を中断してから、仕分けトレイ２５ａ〜２５ｅのいずれかのうち空のものを用紙排出口２４の直下の所定の位置まで移動させて、割り込みモードに係る用紙をその上に排出させることで対応している。
【特許文献１】特開２０００−１６９０３３号公報（第３頁、図１）
【特許文献２】特開２００３−３１２９３４号公報（第５頁、図１）
【特許文献３】特開２００４−６７３１４号公報（第６頁、図１）
【発明の開示】
【発明が解決しようとする課題】
【０００９】
しかし、割り込みモードを利用するのは、使用者が画像を形成した用紙を迅速に得たい場合であるため、メールボックス２５を移動させていたのでは時間がかかり使用者の要望に応えられない。また、全ての仕分けトレイ２５ａ〜２５ｅが空ではない場合は割り込みモードを開始できない。
【００１０】
一方、メールボックス２５および大容量トレイ２６を移動させずに、使用中の仕分けトレイ２５ａ〜２５ｅまたは大容量トレイ２６に割り込みモードで画像を形成した用紙を排出させた場合は、それまでに通常モードで排出された用紙の上に割り込みモードで用紙が排出される。そのため通常モードで排出された用紙と割り込みモードで排出された用紙とを選別する作業が必要となり、この場合もまた使用者が画像を形成した用紙を迅速に得るのは難しい。
【００１１】
同様に、用紙後処理装置を取り付けていない画像形成装置においても、割り込みモードを開始すると備え付けの用紙排出トレイにそれまでに通常モードで排出された用紙の上に割り込みモードで用紙が排出されるので、通常モードで排出された用紙と割り込みモードで排出された用紙とを選別する作業が必要となる。
【００１２】
本発明は、このような現状に鑑みてなされたものであり、ノンソートトレイを設けない用紙後処理装置において割り込みモードを開始させた場合に、割り込みモードで用紙が排出されるトレイの準備に時間がかからず、通常モードで排出された用紙と割り込みモードで排出された用紙とを選別する作業を必要としない、用紙排出機構および用紙後処理装置を提供することを目的とする。
【００１３】
また、用紙後処理装置を設けない画像形成装置において割り込みモードを開始させた場合に、備え付けの用紙排出トレイを利用し、通常モードで排出された用紙と割り込みモードで排出された用紙とを選別する作業を必要としない画像形成装置を提供することを目的とする。
【課題を解決するための手段】
【００１４】
（１）上記目的を達成するために本発明に係る用紙排出機構は、画像が形成された用紙を排出する用紙排出口と、前記用紙排出口から排出された用紙を受ける用紙排出トレイと、用紙排出動作を制御する制御装置とを備える用紙排出機構において、駆動装置によって格納姿勢から展開姿勢に姿勢変更すると前記用紙排出トレイの上部に干渉するサブトレイを設け、このサブトレイは通常の一連の用紙排出動作中は格納姿勢を保持するものであり、前記制御装置は前記一連の用紙排出動作中に割り込み指令を受けた場合、前記駆動装置を動作させ、割り込み指令に係る用紙を受けるようにサブトレイを展開姿勢に姿勢変更させるものであることを特徴とする。
【００１５】
この構成によると、割り込み動作に係る用紙が排出されるサブトレイは展開姿勢で用紙排出トレイの上部を干渉する位置に設けられており、割り込み指令が発せられるとそれまでの通常の一連の用紙排出動作に係る用紙を排出すると、用紙排出口にどのトレイが来ていても、ただちに割り込み指令に係る用紙を受けるように展開姿勢をとることができる。これによって、複数のトレイからなるメールボックスを備えるがノンソートトレイは備えていない用紙後処理装置において、空のトレイを用紙排出口まで移動するのに待ち時間が必要になったり、それまでに用紙が排出されていたトレイと割り込みモードで用紙が排出されたトレイとが区別しにくいため目当ての用紙を探すのに時間がかかったり、空のトレイがないため割り込みモードを開始できなかったりといったことがない。また、割り込み動作に係る用紙はその排出方向の後端部がサブトレイの上に排出され、用紙の下方には隙間ができるため、割り込み動作に係る用紙とそれ以前に排出されていた用紙とは容易に取り分けることができる。
【００１６】
（２）また本発明は、上記構成の用紙排出機構において、前記サブトレイが垂直面内で回動するものであることを特徴としている。
【００１７】
この構成によると、格納姿勢のサブトレイを用紙排出口下部の側壁の一部とすることができるため、最小限の容積でサブトレイを設けることができる。
【００１８】
（３）また本発明は、上記構成の用紙排出機構において、前記サブトレイが用紙排出方向と略平行にスライドするものであることを特徴としている。
【００１９】
この構成によると、サブトレイが用紙排出方向と略平行に直線的にスライドすることで格納、展開両様の姿勢をとるため、回転軸等が必要がなく例えば用紙排出方向と略平行に往復運動するソレノイドに取り付けるだけで容易に設けることができる。
【００２０】
（４）また本発明は、上記構成の用紙排出機構において、前記展開姿勢のサブトレイ上面の用紙排出方向上流部に用紙ストッパを設けたことを設けたことを特徴としている。
【００２１】
この構成によると、用紙ストッパによって展開姿勢のサブトレイ上に排出された用紙が用紙排出口に触れるのを防ぐことができるため、用紙排出口付近の排出ローラ対に用紙が噛み込むなどのトラブルを防ぐことができる。
【００２２】
（５）また本発明は、上記構成の用紙排出機構において、前記サブトレイ近傍に用紙検知センサを設け、展開姿勢の前記サブトレイ上に積載された用紙が取り除かれたことを前記用紙検知センサが検知すると、前記サブトレイが格納姿勢をとり、前記通常の用紙排出動作が再開されることを特徴としている。
【００２３】
この構成によると、割り込み動作に係る用紙が取り除かれるとサブトレイが格納姿勢をとり、それまでの通常の用紙排出動作が再開されるため、使用者がサブトレイを格納姿勢に戻したり、割り込み動作の完了操作をしたりする必要がない。
【００２４】
（６）また本発明では画像形成装置の用紙後処理装置に、上記いずれかの用紙排出機構を搭載する。
【００２５】
この構成によると、メールボックスなどの仕分けトレイを備えない用紙後処理装置においても、容易に割り込み動作に係る用紙をそれ以前に排出されていた通常の動作に係る用紙から取り分けることができる。
【００２６】
（７）また本発明では画像形成装置に、上記いずれかの用紙排出機構を搭載する。
【００２７】
この構成によると、メールボックスなどの仕分けトレイを備えた用紙後処理装置を取り付けることなく容易に割り込み動作に係る用紙をそれ以前に排出されていた通常の動作に係る用紙から取り分けることができる画像形成装置が得られる。
【発明の効果】
【００２８】
本発明によると、割り込み動作に係る用紙は用紙排出口と用紙排出トレイの間に設けられたサブトレイの上に排出され、このサブトレイは瞬時に格納、展開両様の姿勢に変更可能である。これによって使用者は割り込み動作を開始させると、それまでの通常の用紙排出動作に係る用紙が排出され次第、メールボックスの移動などを待つことなく、割り込み動作に係る用紙を得ることができる。また、用紙の排出方向後端部がサブトレイの上に排出されるため、それまでに排出されていた通常の排出動作に係る用紙から容易に取り分けることができる。
【発明を実施するための最良の形態】
【００２９】
本発明の第１の実施形態を図１〜３を用いて説明する。図１は画像形成装置１０の左側面に接続した本発明の第１の実施形態に係る用紙排出機構を備えた用紙後処理装置２０の概略構成図、図２は用紙後処理装置２０のサブトレイ３０周辺の部分拡大図、図３は用紙後処理装置２０のサブトレイ３０周辺の側面から見た部分拡大図である。
【００３０】
用紙後処理装置２０の基本的構成、動作は、従来技術で説明したものと同様であるので、図７と同じ符号を付けて説明は省略する。
【００３１】
使用者が画像形成装置１０を操作して指定したトレイが移動する所定の位置と用紙排出口２４との間に図２および図３に示すようにサブトレイ３０が設けられる。メールボックストレイ２５および大容量トレイ２６は排出される用紙Ｐの全体を受けるものであるが、サブトレイ３０は排出される用紙Ｐの一部を受けるものである。サブトレイ３０は、用紙排出方向と直角をなす回転軸３１を中心として垂直面内で回動し、破線で示す格納姿勢と実線で示す展開姿勢とをとり得る。また、サブトレイ３０には板状の用紙ストッパ３２が、サブトレイ３０が展開姿勢の時に用紙排出口２４よりも用紙排出方向の下流かつ用紙Ｐの排出を妨げない位置に、用紙排出方向および床面に対してほぼ垂直になるように設けられている。
【００３２】
サブトレイ３０は、通常の一連の用紙排出動作中は格納姿勢をとり、用紙Ｐは使用者に指定されたメールボックストレイ２５または大容量トレイ２６の上に排出される。この通常の一連の用紙排出動作中に、使用者が画像形成装置１０を操作することにより割り込み指令が発せられるとその時点で排出動作に係る用紙Ｐを当該トレイ上に排出した後、通常の一連の用紙排出動作を中断する。続いて制御装置２７はソレノイド３３を動作させ、サブトレイ３０を回動し、展開姿勢に姿勢変更させる。
【００３３】
割り込み指令に係る用紙Ｐは先端部はそれまでの通常の一連の用紙排出動作で排出された用紙Ｐの上に排出され、後端部はサブトレイ３０の上に用紙ストッパ３２よりも用紙排出方向の下流に排出される。その後、使用者が用紙Ｐをサブトレイ３０の上から取り上げ、手でサブトレイ３０を格納姿勢に戻し、画像形成装置１０を操作して割り込み指令を解除すると、制御装置２７により中断された通常の一連の用紙排出動作が再開される。
【００３４】
このように構成することにより、それまでに画像が形成された通常の一連の用紙排出動作に係る用紙を無駄にすることなく、また、用紙排出口２４の下部にいずれのトレイが来ていても構わないため、割り込み指令が発せられてから空のメールボックストレイ２５を移動させるような待ち時間を生じることなくサブトレイ３０を展開姿勢に姿勢変更させ、その上に割り込み指令に係る用紙Ｐを排出させることができる。このため、従来の空きトレイを移動させてから割り込み指令に係る用紙Ｐを排出させていた場合のような待ち時間がなく、また、全てのトレイが使用中で割り込み動作ができないということもない。また、割り込み指令に係る用紙Ｐの後端部はサブトレイ３０の上に排出され、下方には隙間ができるため、それまでの通常の一連の用紙排出動作で排出された用紙Ｐとの区別がつきやすく、これらの用紙を選別する作業が不要となり、また取り分けしやすい。割り込み指令に係る用紙Ｐの後端部は用紙ストッパ３２よりも用紙排出方向の下流に排出されるため、サブトレイ３０の上の用紙Ｐの後端部が用紙排出ローラ対２３を構成するローラのうち、下側のローラに巻き込まれてしまうといった問題も生じることがない。
【００３５】
また、第１の実施形態において、用紙ストッパ３５を図４に示すように用紙排出口２４の下方の用紙Ｐの排出を妨げない位置であって、用紙排出ローラ対２３よりも用紙搬送方向下流部に、本体に直接設けてもよい。この場合、サブトレイ３０に設けた用紙ストッパ３２は省略することができる。
【００３６】
本発明の第２の実施形態を図５を用いて説明する。図５は画像形成装置１０に接続した、本発明の第２の実施形態に係る用紙排出機構を備えた用紙後処理装置２０のサブトレイ３０周辺の概略構成図である。
【００３７】
第２の実施形態において、サブトレイ３０は水平方向に往復運動するソレノイド３３に固定され、用紙排出口２４と所定の位置のメールボックストレイ２５または大容量トレイ２６との間で用紙排出方向と略平行にスライドするように設けられており、図５に破線で示す格納姿勢と実線で示す展開姿勢とをとり得る。サブトレイ３０の用紙排出方向の下流側の端部の、幅方向の中央部には光検知センサ３４が設けられている。また、サブトレイ３０には板状の用紙ストッパ３２が、サブトレイ３０が展開姿勢の時に用紙排出口２４よりも用紙排出方向の下流かつ排出される用紙Ｐを妨げない位置に来るように、用紙排出方向および床面に対してほぼ垂直に設けられている。
【００３８】
サブトレイ３０は、通常の一連の用紙排出動作中は格納姿勢をとり、用紙Ｐは使用者に指定されたメールボックストレイ２５または大容量トレイ２６に排出される。この通常の一連の用紙排出動作中に、使用者が画像形成装置１０を操作することにより割り込み指令が発せられると、その時点で排出動作に係る用紙Ｐを当該トレイ上に排出した後、通常の一連の用紙排出動作を中断する。続いて制御装置２７はソレノイド３３を動作させ、サブトレイ３０を用紙排出方向と略平行にスライドさせ、展開姿勢に姿勢変更させる。
【００３９】
割り込み指令に係る用紙Ｐは先端部はそれまでの通常の一連の用紙排出動作で排出された用紙Ｐの上に排出され、後端部はサブトレイ３０の上に用紙ストッパ３２よりも用紙排出方向の下流に排出される。また、光検知センサ３４はサブトレイ３０の上に用紙Ｐが排出されたことを検知する。その後、使用者が用紙Ｐをサブトレイ３０の上から取り上げると、光検知センサ３４がこれを検知し、これを受けて制御装置２７はソレノイド３３を動作させることによってサブトレイ３０を格納姿勢に姿勢変更させ、同時に割り込み指令を解除し、中断された通常の一連の用紙排出動作を再開する。
【００４０】
このように構成することにより、ソレノイド３３にサブトレイ３０を固定するだけで、回転軸やスライドさせるための溝などを必要とせずにサブトレイ３０を所望の方向へ動作させることができる。また、使用者がサブトレイ３０の上から用紙Ｐを取り上げた後、サブトレイ３０を格納姿勢に戻すことまたは画像形成装置１０を操作して割り込み指令を解除することを忘れても、中断されたそれまでの通常の一連の用紙排出動作が再開されるため、他の使用者に無用の迷惑をかけることがなくなる。
【００４１】
本発明の第３の実施形態を図６を用いて説明する。図６は本発明に係る用紙排出機構を備えた画像形成装置である複写機４０の概略構成図である。
【００４２】
複写機４０は本体５０の上方に、自動原稿搬送装置６０が紙面の奥側を開閉支点として垂直面内で開閉自在に取り付けられている。自動原稿搬送装置６０には図示しない操作部が設けられている。また本体５０内部には、制御装置５１、画像読み取り部５２、給紙部５３、画像形成部５４、定着部５５および用紙排出ローラ５６が設けられている。
【００４３】
使用者が、自動原稿搬送装置６０の原稿載置トレイ６１に原稿を載置し、操作部を操作してコピーを開始すると、制御装置５１の制御により、原稿が原稿搬送路６２を搬送され、画像読み取り部５２で原稿の画像が読み取られると同時に、給紙部５３の給紙カセット５３ａから給紙された用紙Ｐが複数のローラ５３ｂによって用紙搬送路５３ｃを搬送され、画像形成部５４において画像読み取り部５２で読み取られた画像データに基づき形成されたトナー像が転写され、定着部５５でこの転写されたトナー像が定着される。その後、用紙排出ローラ５６により用紙排出口５７から用紙排出トレイ５８の上に、トナー像が定着された用紙Ｐが排出される。この通常の画像形成動作が、原稿載置トレイ６１に載置された原稿全てに対して行われる。
【００４４】
第３の実施形態において、サブトレイ３０は用紙排出方向と略平行に往復運動するソレノイド３３に固定され、用紙排出口５７と用紙排出トレイ５８との間で用紙排出方向と略平行にスライドするように設けられており、図６に示す展開姿勢と、本体５０の内部に格納された図示しない格納姿勢とをとり得る。サブトレイ３０の用紙排出方向の下流側の端部の幅方向の中央部には光検知センサ３４が設けられている。また、サブトレイ３０には板状の用紙ストッパ３２が、サブトレイ３０が展開姿勢の時に用紙排出口５７よりも用紙排出方向の下流の位置かつ用紙Ｐの排出を妨げない位置に来るように、用紙排出方向および床面に対してほぼ垂直に設けられている。
【００４５】
サブトレイ３０は、通常の画像形成動作中は格納姿勢をとり、用紙Ｐは用紙排出トレイ５８に排出される。この通常の画像形成動作中に、使用者が操作部の操作により割り込み指令を発すると制御装置５１はその時点での画像形成動作に係る用紙Ｐの画像形成を完了した上で、用紙排出トレイ４９の上に排出した後、この通常の画像形成動作を中断する。続いて制御装置４７はソレノイド３３を動作させ、サブトレイ３０を用紙搬送方向と略平行にスライドさせ、展開姿勢に姿勢変更させる。
【００４６】
この状態で、使用者は自動原稿搬送装置４２を開いて画像読み取り部４３の上に割り込み指令に係る原稿を載置し、操作部を操作してコピーを開始する。用紙Ｐへの画像形成は通常の画像形成動作と同様である。割り込み指令に係る画像が形成された用紙Ｐは先端部はそれまでの通常の画像形成動作で排出された用紙Ｐの上に排出され、後端部はサブトレイ３０の上に用紙ストッパ３２よりも用紙排出方向の下流に排出される。また、光検知センサ３４はサブトレイ３０の上に用紙Ｐが排出されたことを検知する。その後、使用者が用紙Ｐをサブトレイ３０の上から取り上げると、光検知センサ３４がこれを検知し、これを受けて制御装置５１はソレノイド３３を動作させることによってサブトレイ３０を格納姿勢に姿勢変更させ、同時に割り込み指令を解除し、中断されたそれまでの通常の画像形成動作を再開する。
【００４７】
このように構成することにより、複数のメールボックストレイなどを有する用紙後処理装置を取り付けていない、従来の画像形成装置においても本発明に係る用紙排出機構を設けることにより、容易に割り込み動作に係る用紙Ｐを通常の画像形成動作でそれまでに排出された用紙Ｐと区別でき、かつ取り分けやすくなる。また、通常の画像形成動作に係る用紙Ｐは、画像形成部５４での画像形成の途中で割り込み指令が発せられても、画像形成を完了した上で排出されるので、用紙が無駄にならず、かつ、改めてこの画像を形成する必要がないため時間も無駄にならない。
【産業上の利用可能性】
【００４８】
本発明に係る用紙排出機構は、複写機、プリンタ、ファクシミリもしくはこれらの複合機、または用紙を排出する部分を有する用紙後処理装置などに広く用いることができる。
【図面の簡単な説明】
【００４９】
【図１】本発明の第１の実施形態に係る用紙後処理装置の概略構成図
【図２】本発明の第１の実施形態に係る用紙後処理装置のサブトレイ周辺の概略構成図
【図３】本発明の第１の実施形態に係る用紙後処理装置のサブトレイ周辺の側面図
【図４】本発明の第１の実施形態の変形態様に係る用紙後処理装置のサブトレイ周辺の側面図
【図５】本発明の第２の実施形態に係る用紙後処理装置のサブトレイ周辺の概略構成図
【図６】本発明の第３の実施形態に係る複写機の概略構成図
【図７】従来の用紙後処理装置の概略構成図
【符号の説明】
【００５０】
２０    用紙後処理装置
２４    用紙排出口
２５    メールボックストレイ
２６    大容量トレイ
２７    制御装置
３０    サブトレイ
３２    用紙ストッパ
３４    光検知センサ
５１    制御装置
５７    用紙排出口
５８    用紙排出トレイ
【図１】
2006069677.tif 000003
【図２】
2006069677.tif 000004
【図３】
2006069677.tif 000005
【図４】
2006069677.tif 000006
【図５】
2006069677.tif 000007
【図６】
2006069677.tif 000008
【図７】
2006069677.tif 000009